(57)【要約】【課題】色彩の異なるパターンでリールテープ上の図柄（画像）を表現する。【解決手段】リール５１と、リール５１の外周面に取り付けられ複数種類の図柄を表示したリールテープ５２と、リール５１の内周側に配置されリールテープ５２に表示された図柄をその背後から照光するバックライト部とを含み、リールテープ５２は、透明体からなる基材と、基材のバックライト部側の面上に設けられ１色で画像（図柄）が形成された画像表示層と、画像表示層上に設けられ白色からなる下地層と、下地層上に設けられ画像表示層に色彩を施すための着色層とを備える。バックライト部により画像表示層が照光されていないときは、着色層の色彩が透過することなく画像表示層の画像が表示され（図中（ａ））、バックライト部により画像表示層が照光されているときは、画像表示層に着色層の色彩が透過した画像が表示される（図中（ｂ））。【選択図】図９
2006192036.tif 000002
【特許請求の範囲】
【請求項１】
遊技機におけるリールの外周面に取り付けられ、複数種類の図柄を表示した遊技機用リールテープであって、
透明体又は半透明体からなる基材と、
前記基材の一方の面上に設けられ、１又は２以上の特定色により画像が形成されているとともに、その画像の少なくとも一部には、１色からなる特定画像領域が形成された画像表示層と、
前記画像表示層上の少なくとも前記画像を含む領域に設けられ、白色又は淡色からなる下地層と、
前記下地層上に設けられ、前記画像表示層の前記特定画像領域に色彩を施すための着色層と
を備えることを特徴とする遊技機用リールテープ。
【請求項２】
請求項１に記載の遊技機用リールテープにおいて、
前記着色層上に設けられ、前記画像表示層の前記画像が形成されていない領域には、光を透過させない遮光層が設けられている
ことを特徴とする遊技機用リールテープ。
【請求項３】
リールと、
前記リールの外周面に取り付けられ、複数種類の図柄を表示したリールテープと、
前記リールを回転駆動するための駆動部と、
前記リールの内周側に配置され、前記リールテープに表示された図柄をその背後から照光するバックライト部と
を含む遊技機用リールユニットであって、
前記リールテープは、
透明体又は半透明体からなる基材と、
前記基材の前記バックライト部側の面上に設けられ、１又は２以上の特定色により画像が形成されているとともに、その画像の少なくとも一部には、１色からなる特定画像領域が形成された画像表示層と、
前記画像表示層上の少なくとも前記画像を含む領域に設けられ、白色又は淡色からなる下地層と、
前記下地層上に設けられ、前記画像表示層の前記特定画像領域に色彩を施すための着色層とを備え、
前記バックライト部により前記画像表示層が照光されていないときは、前記着色層の色彩が透過することなく前記画像表示層の前記特定色の画像が表示され、前記バックライト部により前記画像表示層が照光されているときは、前記画像表示層の前記特定画像領域に前記着色層の色彩が透過した画像が表示されるようにした
ことを特徴とする遊技機用リールユニット。
【請求項４】
請求項３に記載の遊技機用リールユニットにおいて、
前記リールテープの前記着色層上に設けられ、前記画像表示層の前記画像が形成されていない領域には、光を透過させない遮光層が設けられている
ことを特徴とする遊技機用リールユニット。
【発明の詳細な説明】
【技術分野】
【０００１】
本発明は、照光されているときと照光されていないときとで図柄の色彩が異なるようにした遊技機用リールテープ及び遊技機用リールユニットに関するものである。
【背景技術】
【０００２】
従来のリールが設けられた遊技機では、そのリールの外周面には、図柄を表示したリールテープが貼付されている。
そして、リールテープについては、種々の工夫を施した技術が知られている（例えば、特許文献１参照）。
【特許文献１】特開２００４−１８１０１５号公報  この特許文献１では、凹凸メジウムインク層及び光沢メジウムインク層を設けることで、図柄が背景部に対して浮き上がって見える（図柄を立体的に認識できる）技術が開示されている。
【発明の開示】
【発明が解決しようとする課題】
【０００３】
しかし、前述の従来の技術では、リールテープ上の図柄は、印刷した色でしか見ることができない。
一方、例えば液晶画像表示装置等を用いてリール上の図柄（画像）を表現すれば、図柄やその色を複数のパターンで表示することができる。しかし、このような構成は、コストが高く付くという問題がある。
したがって、本発明が解決しようとする課題は、コストを高くすることなく、色彩の異なるパターンで、リールテープ上の図柄（画像）を表現できるようにすることである。
【課題を解決するための手段】
【０００４】
本発明は、以下の解決手段によって、上述の課題を解決する。
（請求項１）
請求項１の発明は、遊技機におけるリールの外周面に取り付けられ、複数種類の図柄を表示した遊技機用リールテープであって、透明体又は半透明体からなる基材と、前記基材の一方の面上に設けられ、１又は２以上の特定色により画像が形成されているとともに、その画像の少なくとも一部には、１色からなる特定画像領域が形成された画像表示層と、前記画像表示層上の少なくとも前記画像を含む領域に設けられ、白色又は淡色からなる下地層と、前記下地層上に設けられ、前記画像表示層の前記特定画像領域に色彩を施すための着色層とを備えることを特徴とする。
【０００５】
（請求項２）
また、請求項２の発明は、請求項１に記載の遊技機用リールテープにおいて、前記着色層上に設けられ、前記画像表示層の前記画像が形成されていない領域には、光を透過させない遮光層が設けられていることを特徴とする。
【０００６】
（請求項３）
さらにまた、請求項３の発明においては、リールと、前記リールの外周面に取り付けられ、複数種類の図柄を表示したリールテープと、前記リールを回転駆動するための駆動部と、前記リールの内周側に配置され、前記リールテープに表示された図柄をその背後から照光するバックライト部とを含む遊技機用リールユニットであって、前記リールテープは、透明体又は半透明体からなる基材と、前記基材の前記バックライト部側の面上に設けられ、１又は２以上の特定色により画像が形成されているとともに、その画像の少なくとも一部には、１色からなる特定画像領域が形成された画像表示層と、前記画像表示層上の少なくとも前記画像を含む領域に設けられ、白色又は淡色からなる下地層と、前記下地層上に設けられ、前記画像表示層の前記特定画像領域に色彩を施すための着色層とを備え、前記バックライト部により前記画像表示層が照光されていないときは、前記着色層の色彩が透過することなく前記画像表示層の前記特定色の画像が表示され、前記バックライト部により前記画像表示層が照光されているときは、前記画像表示層の前記特定画像領域に前記着色層の色彩が透過した画像が表示されるようにしたことを特徴とする。
【０００７】
（請求項４）
さらに、請求項４の発明は、請求項３に記載の遊技機用リールユニットにおいて、前記リールテープの前記着色層上に設けられ、前記画像表示層の前記画像が形成されていない領域には、光を透過させない遮光層が設けられていることを特徴とする。
【０００８】
上記発明においては、画像表示層が照光されないときは、特定画像領域は、１色（単色であって、明暗だけで表現しているもの（例えば、グレイスケール）を含む。以下同じ。）で見える。これに対し、着色層側が照光されると、着色層の色が下地層を透過して特定画像領域に重なる。その結果、特定画像領域は、着色層の色彩が付いて見えるようになる。
したがって、照光の有無によって、異なる色彩で画像表示層が表示される。
なお、本発明における遊技機用リールテープは、以下の実施形態では、リールテープ５２に相当し、遊技機用リールユニットは、以下の実施形態ではリールユニット５０に相当する。また、本発明における駆動部は、以下の実施形態ではモータ５４に相当し、バックライト部は、バックライト部５５に相当する。
【発明の効果】
【０００９】
本発明によれば、リールテープ上の図柄を、１色の態様と、着色層によって着色された態様とで表すことができる。これにより、コストを高くすることなく、色彩の異なるパターンで、リールテープ上の図柄を表現することができる。
また、遮光層を設けることで、着色層側が照光されたときに、光が分散せずに画像表示層の画像の領域のみを透過するので、図柄部分のみを確実に複数色で表現することができる。
【発明を実施するための最良の形態】
【００１０】
以下、図面等を参照して、本発明の一実施形態について説明する。
図１は、本発明によるスロットマシン１０全体を示す前面の正面図である。また、図２は、図１中、スロットマシン１０のフロントマスク部１２を開放し、基体部１１の内部が見えるように図示した正面図である。
図１及び図２に示すように、スロットマシン１０の筐体は、基体部１１と、基体部１１の前面に取り付けられるフロントマスク部１２とから構成されている。
【００１１】
基体部１１は、木材等を組み立てて前面が開口された箱形に形成したものである。この基体部１１の内部において、図２に示すように、下方部には、電源ユニット１０１及びメダルを貯留しておくホッパーを含むメダル払出し装置１０２が設けられている。
また、これらの電源ユニット１０１及びメダル払出し装置１０２上には、支持板１０３が設けられており、この支持板１０３上に、３つのリール５１を並設したリールユニット５０（本発明における遊技機用リールユニットに相当するもの）が搭載されている。
【００１２】
一方、フロントマスク部１２は、基体部１１の前面を覆うように基体部１１に開閉可能に取り付けられたものである。
フロントマスク部１２は、図１に示すように、前面側（遊技者側）に、貯留メダルを投入するためのベットスイッチ４０、リール５１を始動させるときに遊技者が操作するスタートスイッチ４１、３つのリール５１に対応して３つ設けられ、対応するリール５１を停止させるときに遊技者が操作するストップスイッチ４２、メダル投入口４３、メダル受け皿４４等が配置されている。
【００１３】
また、フロントマスク部１２には、種々の画像や役に対応する図柄の組合せ等を表示したフロントパネル１２ａが設けられているとともに、その中央部には、透明な表示窓１３が設けられている。そして、この表示窓１３から、基体部１１内部に配置されたリールユニット５０の一部が透視できるように構成されている。
【００１４】
また、図１に示すように、表示窓１３の右上側には、ボーナス告知ランプユニット１４（装飾パネルユニット）が設けられている。ボーナス告知ランプユニット１４は、ボーナス役の当選（大当たり）が確定したとき（ボーナス役に当選し、ボーナス役に対応する図柄の組合せを有効ラインに停止可能となったとき）に照光されるものであり、図柄表示部（装飾パネル）１５と、図柄表示部１５の背後に設けられ、ランプ（光源）１６ａを有するランプ基板１６とを備える。なお、図柄表示部１５は、フロントパネル１２ａの一部をなしている（フロントパネル１２ａと一体形成されている）。
【００１５】
図２に示すように、基体部１１の内面側におけるリールユニット５０の上方部には、メイン制御基板１０４が取り付けられている。
メイン制御基板１０４は、リール５１の始動及び停止制御を含む、遊技の進行等の遊技全体を統括制御するための制御基板であり、図示しないが、演算等を行うＣＰＵ、遊技プログラムを記憶したＲＯＭ、及び各データを一時的に記憶するＲＡＭ等を備えるものである。また、メイン制御基板１０４は、透明樹脂からなるケース１０６内に収容されている。ケース１０６は、メイン制御基板１０４を収容した後にかしめられており、メイン制御基板１０４を封印している。
【００１６】
一方、フロントマスク部１２の裏面側において、フロントパネル１２ａの上方部には、サブ制御基板１０５が取り付けられている。サブ制御基板１０５は、遊技中における演出を制御する基板であって、サウンドの出力、ランプ類の点灯、第２リール５１群の動作制御等を行うものであり、演算等を行うＣＰＵ、演出プログラム及び演出データを記憶したＲＯＭ、及び各データを一時的に記憶するＲＡＭ等を備えるものである。サブ制御基板１０５は、メイン制御基板１０４の下位に属する基板であり、演出の全体の制御を担当する制御基板である。
【００１７】
また、メイン制御基板１０４とサブ制御基板１０５とは、図示しないハーネスにより電気的に接続されている。これにより、メイン制御基板１０４からサブ制御基板１０５に対して演出実行指令等を送信するように形成されている。
【００１８】
さらに、サブ制御基板１０５の出力側には、各種ランプやスピーカ２２、及び液晶表示装置３１等の演出出力機器が電気的に接続されている。
ランプは、スロットマシン１０の演出を行うためのものであり、所定の条件を満たしたときに、それぞれ所定のパターンで点灯する。ランプには、リール５１の内周側に配置されたランプ５５ａ（後述）や、フロントマスク部１２の前面上部に配置され、役の入賞時等に点滅する上部ランプ２１等が含まれる。
【００１９】
また、スピーカ２２は、遊技中に各種の演出を行うべく、所定の条件を満たしたときに、所定のサウンドを出力するものである。本実施形態では、図１及び図２に示すように、前面側から見てフロントマスク部１２の上方部において左右両側に（後述する液晶表示装置３１の左右両側に）設けられている。
【００２０】
さらにまた、液晶表示装置３１は、図１に示すようにフロントマスク部１２の上方部中央に設けられている。そして、図２に示すように、液晶表示装置３１は、フロントマスク部１２の裏面側において、サブ制御基板１０５とともに配置されている。すなわち、液晶表示装置３１は、前面側がフロントパネル部１２から露出するように取り付けられているとともに、液晶表示装置３１の背後にはサブ制御基板１０５が配置されている。
【００２１】
以上の構成において、遊技者は、メダル投入口４３からメダルを投入するか、又はベットスイッチ４０を操作することによりメダルを投入し、スタートスイッチ４１をオンする。スタートスイッチ４１が操作されると、そのときに発生する信号がメイン制御基板１０４に入力される。メイン制御基板１０４は、この信号を受信すると、全てのリール５１を回転させるように制御する。このようにしてリール５１が回転されることで、リール５１上の図柄は、所定の速度で表示窓１３内で上下方向に移動表示される。
【００２２】
また、ストップスイッチ４２が操作されると、そのときに発生する信号がメイン制御基板１０４に入力される。メイン制御基板１０４は、この信号を受信すると、そのストップスイッチ４２に対応するリール５１の停止制御を行う。そして、全てのリール５１の停止時に、リール５１の（有効ライン上での）図柄の組合せが予め定められた何らかの役の図柄の組合せと一致し、その役の入賞となったときは、成立役に応じてメダルの払出し等が行われる。
【００２３】
図３は、ボーナス告知ランプユニット１４の画像表示部１５の具体的画像を示す図であり、図中（ａ）は、前方（遊技者側）から見た図であり、（ｂ）は、後方（背後）から見た図である。また、図４は、画像表示部１４ａの層構成を示す断面図である。図４中、下側が前方側（遊技者側）であり、上側が後方側である。
【００２４】
図３及び図４に示すように、画像表示部１５の最前面には、透明樹脂又は半透明樹脂からなる基材１５ａが設けられている。本実施形態では、基材１５ａは透明であるが、例えば半透明にする場合には、無彩色であるか有彩色であるかを問わない。また、半透明にする場合には、（後述するように、背後の着色層１５ｄを透過させるため）光の透過度の高いものが好ましい。
【００２５】
さらに、その上層（後方側）には、１又は２以上の特定色により画像が形成されているとともに、その画像の少なくとも一部には、１色からなる特定画像領域が形成された画像表示層１５ｂが設けられている。特に本実施形態では、画像の全てが特定画像領域をなしており、１色（青色）から形成されている。図３（ａ）に示すように、画像は、キャラクタを表示したものである。
【００２６】
また、画像表示層１５ｂ上の少なくとも前記画像を含む領域には、白色又は淡色（明度の高い明色）からなる下地層１５ｃが設けられている。特に本実施形態では、下地層１５ｃは、白色からなり、かつ画像表示部１５の全領域に設けられている。なお、下地層１５ｃは、不透明であり、かつ光を透過可能なものであることが条件となる。
また、下地層１５ｃ上には、着色層１５ｄが設けられている。図３（ａ）に示す画像は、青１色から形成されているが、着色層１５ｄは、その背後に設けられ、下地層１５ｃを介して画像の所定部位をそれぞれ着色するためのものである。
【００２７】
本実施形態では、図３（ｂ）に示すように、塗りつぶしで表示した領域は黒、網点で表示した領域は赤、右下がりのハッチングで表示した領域は橙、右上がりのハッチングで表示した領域は緑、というように各種の色によって着色されている。以上の着色された層が着色層１５ｄである。
【００２８】
さらに、着色層１４ｄ上において、画像表示層１５ｂの画像の領域外には、遮光層１５ｅが設けられている。特に本実施形態の遮光層１５ｅは、不透明の銀色で塗りつぶした層であり、銀止め層とも称される層である。
【００２９】
図５は、ランプ１６ａが消灯／点灯状態での画像の変化を示す斜視図である。図中、（ａ）はランプ１６ａの消灯状態を示し、（ｂ）は点灯状態を示す。
以上の構成からなるボーナス告知ランプユニット１４では、図５（ａ）に示すように、ボーナス役の当選が未だ確定していないときは、ランプ１６ａは消灯状態を維持し、画像（画像表示層１５ｂ）はその背後から照光されない。これにより、着色層１５ｄの色彩は、下地層１５ｃを介して透過しない。すなわち、着色層１５ｄは、下地層１５ｃによって隠され、画像表示層１５ｂの色彩である特定色（青色）のみで画像が表示される。
【００３０】
これに対し、図５（ｂ）に示すように、ボーナス役の当選が確定し、ランプ１６ａにより背後から画像が照光されたときは、着色層１５ｄの色彩が下地層１５ｃを透過し、画像表示層１５ｂの画像と着色層１５ｄの色彩とが重なり合った画像が表示される。
なお、画像表示層１５ｂの画像の周囲（画像表示層１５ｂの画像の領域外）は、遮光層１５ｅによってランプ１６ａの光は透過しないので、この領域は、たとえランプ１６ａにより照光されたときであっても下地層１５ｃの色（白色）で表示される。
【００３１】
図６は、リールユニット５０の全体斜視図である。また、図７は、リールユニット５０の１つのリール５１における側面の断面図である。
リールユニット５０は、並設された３つのリール５１と、リール５１の外周面に貼付され、図柄（画像）を表示したリールテープ５２（本発明における遊技機用リールテープに相当するもの）と、各リール５１を支持する支持部材５３と、リール５１の回転中心部に連結され、リール５１の回転を制御するためのモータ５４（本発明における駆動部に相当するもの）と、リール５１の内周側に配置され、リールテープ５２の図柄を背後から照光するためのバックライト部５５（本発明におけるバックライト部に相当するもの）とを備えている。
【００３２】
さらに、バックライト部５５は、ランプ５５ａと、ランプ５５ａの点灯を制御するためのランプ基板５５ｂと、ランプ基板５５ｂを支持するランプケース５５ｃとを備える。
本実施形態のランプ５５ａは、１つのリール５１に対して上下に３つ設けられており、リールテープ５２の上下に連続する３図柄をそれぞれ照光できる位置に配置されている。
【００３３】
図８は、リールテープ５２に表示された図柄を示す平面図であり、（ａ）は、前面側（遊技者側）から満た図であり、（ｂ）は、後面側（バックライト部５５側）から見た図である。図８に示すように、各リールテープ５２には、複数種類の図柄（役を構成する図柄等）が印刷されている。
【００３４】
そして、各図柄のうち、上下に連続する３図柄であって、バックライト部５５により照光される図柄が、フロントマスク部１２の表示窓１３から透視できるように形成されている（図１参照）。
よって、表示窓１３から、リールユニット５０の合計９個の図柄が透視できるように配置されている。
【００３５】
図８に示すリールテープ５２の層構成は、上述した画像表示部１４ａの層構成と同一である。
先ず、リールテープ５２の最前面には、リールテープ５２の基体となる透明樹脂又は半透明樹脂からなる基材５２ａが設けられる。基体５２ａは、リール５１をかたちどるように環状（円筒状）に形成されている。本実施形態では、基材５２ａは透明であるが、例えば半透明にする場合には、無彩色であるか有彩色であるかを問わない。また、半透明にする場合には、（後述するように、背後の着色層５２ｄを透過させるため）光の透過度の高いものが好ましい。
【００３６】
さらに、その上層（後方側）には、１又は２以上の特定色により画像が形成されているとともに、その画像の少なくとも一部には、１色からなる特定画像領域が形成された画像表示層５２ｂが設けられている。特に本実施形態では、画像の全てが特定画像領域をなしており、１色（黒）から形成されている。
【００３７】
また、画像表示層５２ｂ上の前記画像を含む全領域（リールテープ５２の全領域）には、白色又は淡色（明度の高い明色）からなる下地層５２ｃが設けられている。特に本実施形態では、下地層５２ｃは、白色からなる。なお、下地層５２ｃは、不透明であって、光を透過可能であることが条件となる。
また、下地層５２ｃ上には、着色層５２ｄが設けられている。画像表示層５２ｂの前記画像は、黒１色から形成されているが、着色層５２ｄは、その背後に設けられ、下地層５２ｃを介して画像の所定部位をそれぞれ着色するためのものである。
【００３８】
図８において、上から順に、図柄をそれぞれ「ベル」、「プラム」、「チェリー」、「スイカ」、及び「７」とすると、ベルの図柄の内部は、着色層５２ｄによって金色に着色されている（図中、ハッチング部）とともに、球形の部分は、着色層５２ｄによって銀色に着色されている（図中、網点部分）。また、プラムの図柄では、着色層５２ｄによって実の部分は青に着色され（図中、格子状に示す部分）、茎の部分は茶に着色されている（図中、ハッチング部）。
【００３９】
さらにまた、チェリーの図柄では、着色層５２ｄによって実の部分が赤に着色され（図中、網点部分）、葉の部分が緑に着色されている（図中、ハッチング部）。
さらに、スイカの図柄では、着色層５２ｄによって、表面の皮の部分が緑に着色され（図中、ハッチング部）、実の部分は赤に着色されている（図中、網点部分）。
また、「７」の図柄では、着色層５２ｄによって内部が赤に着色されている（図中、網点部分）。そして、上記の各図柄の外側の全領域には、遮光層５２ｅが設けられている。
【００４０】
図９は、バックライト部５５が点灯／消灯状態での図柄の変化を示す斜視図である。図中（ａ）は、バックライト部５５の消灯状態を示し、（ｂ）は点灯状態を示す。
スロットマシン１０の電源がオフのときや演出等によってバックライト部５５が消灯状態（図柄が照光されていない状態）となったときは、図９（ａ）に示すように、着色層５２ｄの色彩は、下地層５２ｃを介して透過しない。すなわち、着色層５２ｄは、下地層５２ｃによって隠され、画像表示層５２ｂの色彩である黒色のみで画像が表示される。
【００４１】
これに対し、通常状態のときは、バックライト部５５が点灯し、背後から画像（画像表示層５２ｂ）が照光される。その結果、図９（ｂ）に示すように、着色層５２ｄの色彩が下地層５２ｃを透過し、画像表示層５２ｂの画像と着色層５２ｄの色彩とが重なり合った画像が表示される。
なお、画像表示層５２ｂの画像の周囲（画像表示層５２ｂの画像の領域外）は、遮光層５２ｅによって光は透過しないので、この領域は、たとえバックライト部５５により照光されたときであっても下地層５２ｃの色（白色）で表示される。
【００４２】
以上のように、本実施形態では、ボーナス告知ランプユニット１４の画像、及びリールテープ５２上の画像は、それぞれ照光の有無によって、異なる色彩で表示される。
【００４３】
以上、本発明の実施形態について説明したが、本発明は、上記実施形態に限定されることなく、以下のような種々の変形が可能である。
（１）本実施形態では、遊技機の１つとしてスロットマシン１０を例に挙げたが、これに限らず、ボーナス告知ランプユニット１４を設けることができる他の遊技機や、リールユニット５０を設けることができる弾球遊技機等に広く適用することができる。
（２）画像表示層１５ｂ及び５２ｂによって表示される画像は、いかなるものであっても良く、本実施形態で示した画像に限定されるものではない。
【００４４】
（３）本実施形態では、遮光層１５ｅ及び５２ｅを設けたが、これに限らず、遮光層１５ｅ及び５２ｅを設けない構造であっても良い。また、遮光層１５ｅ及び５２ｅは、銀色に限らず、光を透過させない不透明な濃色のものであれば、無彩色や有彩色のいかなる色であっても良い。
【００４５】
（４）本発明における遊技機用リールユニットとして、本実施形態ではリールユニット５０を例に挙げたが、例えば特開２００４−３５１０２５号公報に開示されているように、第１リールユニット（遊技用のメインリールユニット）及び第２リールユニット（演出用のサブリールユニット）を設けた場合には、いずれか一方又は双方に適用することができる。
【図面の簡単な説明】
【００４６】
【図１】本発明によるスロットマシン全体を示す前面の正面図である。
【図２】図１中、スロットマシンのフロントマスク部を開放し、基体部の内部が見えるように図示した正面図である。
【図３】ボーナス告知ランプユニットの画像表示部の具体的画像を示す図であり、（ａ）は、前方（遊技者側）から見た図であり、（ｂ）は、後方から見た図である。
【図４】画像表示部の層構成を示す断面図である。
【図５】（ａ）は、画像が照光されていない状態を示し、（ｂ）は、画像が照光され、画像表示層の画像に着色層の色彩が重なり合った状態を示す図である。
【図６】リールユニットの全体斜視図である。
【図７】リールユニットの１つのリールにおける側面の断面図である。
【図８】リールテープに表示された図柄を示す平面図であり、（ａ）は、前面側から満た図であり、（ｂ）は、後面側から見た図である。
【図９】バックライト部が点灯／消灯状態での図柄の変化を示す斜視図である。
【符号の説明】
【００４７】
１０  スロットマシン
１１  基体部
１２  フロントマスク部
１２ａ  フロントパネル
１３  表示窓
１４  ボーナス告知ランプユニット
１５  図柄表示部
１５ａ  基材
１５ｂ  画像表示層
１５ｃ  下地層
１５ｄ  着色層
１５ｅ  遮光層
１６ａ  ランプ（光源）
１６  ランプ基板
２１  上部ランプ
２２  スピーカ
３１  液晶表示装置
４０  ベットスイッチ
４１  スタートスイッチ
４２  ストップスイッチ
５０  リールユニット（遊技機用リールユニット）
５１  リール
５２  リールテープ（遊技機用リールテープ）
５２ａ  基材
５２ｂ  画像表示層
５２ｃ  下地層
５２ｄ  着色層
５２ｅ  遮光層
５３  支持部材
５４  モータ（駆動部）
５５  バックライト部
５５ａ  ランプ
５５ｂ  ランプ基板
５５ｃ  ランプケース
１０１  電源ユニット
１０２  メダル払出し装置
１０３  支持板
１０４  メイン制御基板
１０５  サブ制御基板
１０６  ケース
【図１】
2006192036.tif 000003
【図２】
2006192036.tif 000004
【図３】
2006192036.tif 000005
【図４】
2006192036.tif 000006
【図５】
2006192036.tif 000007
【図６】
2006192036.tif 000008
【図７】
2006192036.tif 000009
【図８】
2006192036.tif 000010
【図９】
2006192036.tif 000011